(57)【要約】【課題】原稿色によらず、原稿サイズを適切に検出する読取装置を提供する。【解決手段】読取装置のカバーは、光源が第１の照射角度および第２の照射角度で光をカバーの所定箇所に照射した場合に、第１の照射角度と第２の照射角度それぞれについて受光部が受光する反射光の光量が異なるように、所定箇所が加工されている。第１の照射角度で光を照射させて取得した第１の読取データと、第２の照射角度で光を照射させて取得した第２の読取データとに基づいて、原稿のサイズを検出する。【選択図】図６
2017118269.tif 000002
【特許請求の範囲】
【請求項１】
読取対象物に対する光の照射角度を第１の照射角度と該第１の照射角度と対称となる第２の照射角度とに切替えて前記読取対象物に照射可能な光源と、前記読取対象物からの反射光を受光する受光部とを有し、原稿台上に載置される原稿画像を取得する読取手段と、
前記原稿台を覆い、前記光源が前記第１の照射角度および前記第２の照射角度で光を前記カバーの所定箇所に照射した場合に、前記第１の照射角度と前記第２の照射角度それぞれについて前記受光部が受光する反射光の光量が異なるように、前記所定箇所が加工されているカバーと、
前記原稿台上の前記原稿が前記カバーで覆われた状態で前記読取手段が取得する、前記第１の照射角度で前記光源から光を照射させて取得した第１の読取データと、前記第２の照射角度で前記光源から光を照射させて取得した第２の読取データとに基づいて、前記原稿のサイズを検出する検出手段と、
を備えることを特徴とする読取装置。
【請求項２】
前記所定箇所とは、前記原稿の複数のサイズの領域を跨ぐように形成された溝であることを特徴とする請求項１に記載の読取装置。
【請求項３】
前記読取手段は、ラインセンサであり、前記受光部は、複数のイメージセンサがライン状に配列されており、
前記溝は、当該配列方向に形成された溝である、
ことを特徴とする請求項２に記載の読取装置。
【請求項４】
前記光源は、前記受光部を中心として前記配列方向と交差する方向に対称に配置された前記第１の照射角度で光を照射する第１の光源と前記第２の照射角度で光を照射する第２の光源とを含み、
前記読取手段は、第１の移動方向に移動しながら前記第１の光源から前記所定箇所に光を照射させて前記第１の読取データを取得し、前記第１の移動方向と逆の第２の移動方向に移動しながら前記第２の光源から前記所定箇所に光を照射させて前記第２の読取データを取得し、
前記検出手段は、前記第１の読取データおよび前記第２の読取データにおける前記溝の影の有無に基づいて、前記原稿のサイズを検出する、
ことを特徴とする請求項１乃至３のいずれか１項に記載の読取装置。
【請求項５】
前記読取手段は、前記第１の移動方向に移動する際に前記第２の光源を消灯し、前記第２の移動方向に移動する際に前記第１の光源を消灯する、
ことを特徴とする請求項４に記載の読取装置。
【請求項６】
前記所定箇所には、前記読取手段の移動方向において異なる壁面角度を有するように構が構成されている、ことを特徴とする請求項１乃至５のいずれか１項に記載の読取装置。
【請求項７】
読取対象物に対する光の照射角度を第１の照射角度と該第１の照射角度と対称となる第２の照射角度とに切替えて前記読取対象物に照射可能な光源と、前記読取対象物からの反射光を受光する受光部とを有し、原稿台上に載置される原稿画像を取得する読取手段と、
前記原稿台を覆い、前記光源が前記第１の照射角度および前記第２の照射角度で光を前記カバーの所定箇所に照射した場合に、前記第１の照射角度と前記第２の照射角度それぞれについて前記受光部が受光する反射光の光量が異なるように、前記所定箇所が加工されているカバーと、を備える読取装置において実行される検出方法であって、
前記原稿台上の前記原稿が前記カバーで覆われた状態で前記読取手段が取得する、前記第１の照射角度で前記光源から光を照射させて取得した第１の読取データと、前記第２の照射角度で前記光源から光を照射させて取得した第２の読取データとに基づいて、前記原稿のサイズを検出する検出工程、
を有することを特徴とする検出方法。
【発明の詳細な説明】
【技術分野】
【０００１】
本発明は、原稿画像を光学的に読み取る読取装置および検出方法に関する。
【背景技術】
【０００２】
一般的に、複写機やイメージスキャナーなどに用いられる画像読取装置は、原稿台であるコンタクトガラス上を通過する或いはコンタクトガラス上に載置された原稿に向かって光を照射し、反射光を受光して原稿上の画像を読み取る。コンタクトガラスは、透明ガラスで構成され、装置本体の上面に設けられている。コンタクトガラス下方の装置本体内部には、原稿に向かって光を照射する光源や、反射光を光電変換して画像データとして取り込む撮像素子などが設けられている。
【０００３】
画像読取装置は、コンタクトガラス上に載置された原稿のサイズを自動的に計測する機能を備えている。原稿サイズを計測する方法として、原稿サイズに対応した箇所に配置された複数のセンサにより原稿サイズを計測する方法や、原稿画像の読取りのための走査動作を実行するラインセンサーを用いて原稿サイズを計測する方法がある。特許文献１には、光源から原稿に向かって照射された反射光をラインセンサーで受光し、そのラインセンサーの出力に基づいて原稿サイズを判定する画像読取装置が記載されている。
【０００４】
原稿画像の読取りに用いるラインセンサーは、原稿表面の反射光を白画素として撮像する。従って、原稿の端部を識別するためには、原稿の周囲を白以外、例えば黒の画素として撮像する必要がある。ラインセンサーを用いた原稿サイズの自動計測は、例えば、コンタクトガラスに対して開閉自在に設けられた原稿押さえ（プラテンカバーなど）を閉じる前に実行される。
【０００５】
特許文献１に記載された画像読取装置の場合、原稿サイズを判定するためにコンタクトガラスの一辺とほぼ同じ長さの光照射部（光源）で光を照射する。そのコンタクトガラスの一辺より短いサイズの原稿をコンタクトガラス上に載置した場合、光が原稿の外側の領域からユーザ側に漏れる可能性が高い。これにより、ユーザがまぶしい思いをして不快感を覚え、作業効率が低下させる虞がある。
【０００６】
特許文献２には、圧板に凹溝状を形成した鏡面シートを使用して圧板が閉じた状態で原稿なしの部分の読み取りデータが黒となるようにし、原稿との色差から原稿サイズを検知する構成により、ユーザにまぶしさを感じさせない構成が記載されている。
【先行技術文献】
【特許文献】
【０００７】
【特許文献１】特開平１１−７５０２５号公報
【特許文献２】特開平８−２０１９３３号公報
【発明の概要】
【発明が解決しようとする課題】
【０００８】
しかしながら、特許文献２では原稿が黒色である場合や、原稿の端部に黒色がある場合には、原稿ありと原稿なしの部分とに色の差が生じず、正確な原稿サイズ検知を行うことができない。
【０００９】
本発明の目的は、このような従来の問題点を解決することにある。上記の点に鑑み、本発明は、原稿色によらず、圧板を閉じた状態で原稿サイズを適切に検出する読取装置および検出方法を提供することを目的とする。
【課題を解決するための手段】
【００１０】
上記課題を解決するため、本発明に係る読取装置は、読取対象物に対する光の照射角度を第１の照射角度と該第１の照射角度と対称となる第２の照射角度とに切替えて前記読取対象物に照射可能な光源と、前記読取対象物からの反射光を受光する受光部とを有し、原稿台上に載置される原稿画像を取得する読取手段と、前記原稿台を覆い、前記光源が前記第１の照射角度および前記第２の照射角度で光を前記カバーの所定箇所に照射した場合に、前記第１の照射角度と前記第２の照射角度それぞれについて前記受光部が受光する反射光の光量が異なるように、前記所定箇所が加工されているカバーと、前記原稿台上の前記原稿が前記カバーで覆われた状態で前記読取手段が取得する、前記第１の照射角度で前記光源から光を照射させて取得した第１の読取データと、前記第２の照射角度で前記光源から光を照射させて取得した第２の読取データとに基づいて、前記原稿のサイズを検出する検出手段と、を備えることを特徴とする。
【発明の効果】
【００１１】
本発明によれば、原稿色によらず、圧板を閉じた状態で原稿サイズを適切に検出することができる。
【図面の簡単な説明】
【００１２】
【図１】画像読取装置の概略構成を示す図である。
【図２】読取ユニットの制御構成を示すブロック図である。
【図３】画像読取装置の斜視図である。
【図４】読取画像の状態を説明するための図である。
【図５】原稿台ガラスを上側から見た図である。
【図６】原稿サイズ検出処理を示すフローチャートである。
【図７】原稿台ガラスを上側から見た図である。
【図８】原稿サイズ検知処理を示すフローチャートである。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１４】
［第１の実施形態］
図１は、画像読取装置の概略構成を示す図である。図１に示す画像読取装置１００は、スキャナユニット１とＡＤＦユニット６とを含んで構成される。ＡＤＦユニット６は、スキャナユニット１の端部で接続されて開閉可能に構成されている原稿給送装置（Ａｕｔｏ  Ｄｏｃｕｍｅｎｔ  Ｆｅｅｄｅｒ）である。ユーザは、ＡＤＦユニット６を開くことで原稿５を原稿台ガラス２上に載置し、スキャナユニット１は、原稿台上に載置された原稿の読取りを行う。また、ＡＤＦユニット６には、原稿トレイ７（ＡＤＦ給紙トレイ）が設けられている。複数枚の原稿が原稿トレイ７に載置された場合、ＡＤＦユニット６は、それらの原稿を一枚ずつ内部に給送し、スキャナユニット１は、連続的に原稿の画像読取を行う。スキャナユニット１は、ＣＣＤやＣＩＳ等の読取方式で構成される読取ユニット１０（読取部）を使用して光を原稿に照射し、原稿からの反射光を受光する。スキャナユニット１が反射光を光電変換により読取信号を生成することで、画像データ（読取データ）が生成される。
【００１５】
読取ユニット１０は、各色に対応したＬＥＤ等の光源１１ａ及び１１ｂと、光学レンズ１３と、受光部であるイメージセンサ１２とを含んで構成され、原稿５の載置側と反対側に、原稿台ガラス２に密着するように構成される。ＡＤＦユニット６には、原稿台ガラス２上の読取領域と対面する位置に白色領域の原稿押え圧板９（以下、圧板９という）が設けられている。読取ユニット１０の光源１１ａ及び１１ｂからの光は、原稿５、及び原稿５の背景の圧板９に反射してイメージセンサ１２により受光される。原稿５と圧板９は、スキャナユニット１の読取対象物となる。
【００１６】
光源１１ａ及び１１ｂは、原稿台ガラス２に対して、各所定の照射角度で原稿を照明する。光学レンズ１３は、複数のセルフォックレンズ（登録商標）がアレイ状に配置されたレンズアレイである。イメージセンサ１２は、所定の方向にライン状に配列された複数の光電変換素子等から構成され、光学レンズ１３により導かれた光を撮像する。複数の光電変換素子の配列方向は、図中の矢印で示される読取ユニット１０の移動方向（副走査方向）と交差する主走査方向に対応する。読取ユニット１０は、読取ガラス３の下面に位置することにより、読取ガラス３上の一方の表面をＡＤＦユニット６から順次給紙される原稿の面を読み取ることもできる。
【００１７】
尚、本実施形態では、イメージセンサ１２はＣＭＯＳセンサであるとする。イメージセンサ１２で読み取られて生成された原稿の画像データは、メモリ等の記憶部に格納される。図１に示すような構成の読取ユニット１０は、不図示の駆動ベルトに装着され、ステッピングモータやＤＣモータなどであるスキャナモータの駆動力が駆動ベルトを介して伝達されることにより、ガイドレールに沿って副走査方向に移動する。
【００１８】
スキャナユニット１は、読取ユニット１０を副走査方向に移動させながら読取ユニット１０を主走査方向に電気的に走査することにより、原稿５の画像を読み取る。また、画像読取時には、読取ユニット１０は、原稿台ガラス２の端部に設けられた白色基準板４に光を照射して、その反射光からシェーディング補正を行うための基準信号を取得する。
【００１９】
ＡＤＦユニット６は、原稿トレイ７上に表面を上に向けて載置された複数枚の原稿をピックアップローラにより最上位の原稿からＡＤＦユニット６の内部へと送り出す。ＡＤＦユニット６の内部では、不図示のレジストローラ、搬送ローラを介して、読取ガラス３の上面の読取位置まで搬送される。読取位置を通過した原稿は、搬送ローラ、排紙ローラを介して、排紙トレイ８上に原稿表面を下に向けて順番に排出される。
【００２０】
図２は、読取ユニット１０の制御構成を示すブロック図である。イメージセンサ１２の各チップから出力された電気信号（読取信号）は、ＡＦＥ（アナログフロントエンド）１４においてデジタルデータ（画像データ）に変換される。例えば、ＡＦＥ１４では、各チップに対応したマルチプレクサでＡ／Ｄ変換の順序を入れ替える等、後段で画像処理される順序に適した信号処理を行う。
【００２１】
制御部２０は、ＡＦＥ１４から出力されたデータを受信する。制御部２０は、光源１１ａ及び１１ｂの点灯を制御する光源制御部１３を含む。光源制御部１３は、白色基準板４を読み取って取得された輝度データに基づいて、光源１１ａ及び１１ｂの光量を決定する。光源制御部１３は、決定した光量に基づいて、光源１１ａ及び１１ｂへ供給する駆動電流の電流値や供給時間を制御する。
【００２２】
開閉検出部１５は、例えば、圧板９が取り付けられたＡＤＦユニット６の開閉動作を支持するスキャナユニット１の端部のヒンジ機構に構成されたトリガスイッチであり、ＡＤＦユニット６の開閉角度に応じたＯＮ／ＯＦＦ等の信号を出力する。制御部２０は、開閉検出部１５からの出力信号により、圧板９の開閉状態を判定する。副走査方向サイズ検出部１６は、図５において後述する原稿の副走査方向のサイズを検出するための光学センサである。原稿サイズ判定演算部１９は、ＡＦＥ１４からの出力データ、開閉検出部１５からの出力信号、副走査方向サイズ検出部１６からの検知信号、に基づいて、原稿台ガラス２に載置された原稿サイズを判定する。走査駆動部１７は、上述のスキャナモータや駆動ベルトを含み、走査制御部１８は、走査駆動部１７を制御することで、読取ユニット１０を副走査方向に移動させる。
【００２３】
図１に示す画像読取装置１００は、例えば、記録媒体に画像を記録する記録装置（プリンタ）に接続されても良い。その場合、例えば、画像読取装置１００は記録装置上に搭載される。
【００２４】
図２（ｂ）は、画像読取装置１００が記録装置２１３と接続され、スキャン機能、印刷機能、コピー機能等が一体化された画像形成装置２００として構成された場合の制御系のブロック構成を示す図である。そのような画像形成装置２００は、画像読取装置１００、記録装置２１３、画像読取装置１００及び記録装置２１３を統括的に制御するコントローラ部２１４を含む。
【００２５】
コントローラ部２１４は、ＣＰＵ２０１、ＲＯＭ２０２、ＲＡＭ２０３、ＨＤＤ２０４、外部インタフェース（ＩＦ）２０７、スキャナＩＦ２０５、プリンタＩＦ２０６を含む。ＣＰＵ２０１は、例えば、ＲＯＭ２０２に記憶されたプログラムをＲＡＭ２０３に読み出して実行することにより、画像形成装置２００の機能を実行する。例えば、ユーザからコピー機能の実行指示を受け付けた場合、ＣＰＵ２０１は、スキャナＩＦ２０５を介して画像読取装置１００に読取動作を指示し、プリンタＩＦ２０６を介して記録装置２１３に記録動作を指示する。画像読取装置１００のＣＰＵ２１１は、コントローラ部２１４のＣＰＵ２０１からＩＦ２０８を介して指示を受けると、画像読取装置１００を統括的に制御して原稿の読取動作を実行する。外部ＩＦ２０７は、ＬＡＮ等のネットワークを介して外部の装置と相互に通信可能であり、例えば、外部のホストコンピュータからスキャンジョブを受信する。
【００２６】
画像読取装置１００の制御部２０は、図２（ａ）に示す各ブロックの他、コントローラ部２１４のＣＰＵ２０１と通信し、画像読取装置１００を統括的に制御するＣＰＵ２１１を含む。制御部２０は汎用的なＲＯＭやＲＡＭであるＲＯＭ２０９やＲＡＭ２１０を含み、本実施形態の動作は、例えば、ＣＰＵ２１１がＲＯＭ２０９に記憶されたプログラムをＲＡＭ２１０に読み出して実行することにより実現される。画像読取装置１００の操作部２１２は、装置情報やジョブ処理状況等を示すディスプレイや、ユーザからの指示操作を受け付けるためのキー等を含む。
【００２７】
記録装置２１３は、インクジェット記録方式や電子写真方式等の各種記録方式に対応した構成を有し、記録媒体上に画像を記録する。記録装置２１３は、例えば、外部ＩＦ２０７で外部から受信した画像データに基づいて記録動作を行う場合や、画像読取装置１００の読取動作で取得された画像データに基づいて記録動作を行う場合がある。
【００２８】
図２（ｂ）には不図示であるが、コントローラ部２１４は、記録対象の画像データを記録装置２１３で記録可能な記録データに変換するための画像処理部など、画像形成装置２００の各機能を実行するために必要な処理構成を適宜含む。
【００２９】
図３は、画像読取装置１００の斜視図であり、圧板９を開けて原稿台ガラス２に原稿５を載置した状態を示している。図４は、本実施形態における原稿サイズ検出位置での原稿あり／なしの各場合における、読取画像の状態を説明するための図である。本実施形態では、図４に示すように、圧板９の所定箇所には、副走査上流側では垂直に、下流側ではなだらかになるような形状を主走査方向上に均等に穿たれた溝（原稿検知溝）４０１が構成されている。図４に示すように、原稿検知溝は、読取ユニット１０の移動方向上において異なる壁面角度を有するように形成されている。
【００３０】
図４（ａ）の上段に示すように、反射光入光部を中心とした副走査方向の両側に光源１１ａ及び１１ｂを有する読取ユニット１０によって、副走査方向上流側の光源１１ａのみを点灯させて原稿検知溝をスキャンする。その結果、原稿検知溝による反射光の違いから、図４（ａ）の下段に示すように、原稿検知溝の影が画像として読み取られる。一方、図４（ｂ）の上段に示すように、副走査下流側の光源１１ｂのみを点灯させて原稿検知溝を図４（ａ）の逆方向にスキャンすると、図４（ｂ）の下段に示すように、原稿検知溝の影がない画像として読み取られる。
【００３１】
原稿台ガラス２上に原稿５が載置されている場合、図４（ａ）の中段、及び図４（ｂ）の中段に示すように、原稿５が圧板９に構成された原稿検知溝を覆う。その結果、図４（ａ）の下段、及び図４（ｂ）の下段に示すように、原稿５の画像が読み取られる。
【００３２】
本実施形態では、読取ユニット１０が図４（ａ）に示す方向に移動する際には、光源１１ａを点灯させて光源１１ｂを消灯させる。また、読取ユニット１０が図４（ｂ）に示す方向に移動する際には、光源１１ａを消灯させて光源１１ｂを点灯させる。図４（ａ）及び（ｂ）に示すように、光源の照射角度を切替可能であるならば、読取ユニット１０の光源は、図４（ａ）及び（ｂ）の構成に限定されない。
【００３３】
図５は、画像読取装置１００の原稿台ガラス２を上側から見た図である。図５に示すように、各サイズの原稿は、左上端の基準点に原稿の隅を突き当てるように載置される。図５の原稿検知位置は、全ての定型サイズの原稿の主走査サイズを読取可能な位置であり、圧板９には、原稿検知位置に対応して原稿検知溝が穿たれている。
【００３４】
副走査方向サイズ検出部１６ｂおよび１６ｃは、図２の副走査方向サイズ検出部１６に対応し、原稿の副走査方向のサイズを検出するためのセンサである。副走査方向サイズ検出部１６ｂは、Ａ４サイズとＢ５Ｒサイズの原稿を載置した場合の副走査方向で境界となる位置に設置される。また、副走査方向サイズ検出部１６ｃは、Ｂ５ＲサイズとＡ４Ｒサイズの原稿を載置した場合の副走査方向で境界となる位置に設置される。副走査方向サイズ検出部１６ｂ及び１６ｃは、画像読取装置１００の底部に例えばＣＣＤやＣＭＯＳ型の反射型の光学センサとして設置される。例えば、副走査方向サイズ検出部１６ｂが反射光を検出しなかった場合、原稿５の副走査方向のサイズは、副走査方向サイズ５０１と判定される。また、副走査方向サイズ検出部１６ｂが反射光を検出し、副走査方向サイズ検出部１６ｃが反射光を検出しなかった場合、原稿５の副走査方向のサイズは、副走査方向サイズ５０２と判定される。原稿５のサイズの特定は、原稿検知位置における主走査方向のサイズ判定結果と、副走査方向サイズ検出部１６ｂ及び１６ｃによる副走査方向のサイズ判定結果とに基づいて行われる。
【００３５】
図５では、副走査方向サイズ検出部１６ｂ及び１６ｃのみが示されており、Ａ４ＲサイズとＢ４サイズの原稿を載置した場合の副走査方向で境界となる位置、Ｂ４サイズとＡ３サイズの原稿を載置した場合の副走査方向で境界となる位置には配置されていない。これは、例えば、副走査方向サイズ検出部１６ｂ及び１６ｃの両方で反射光が検出される場合、原稿サイズは、Ａ４Ｒ、Ｂ４、Ａ３が該当するが、いずれのサイズであるかは、原稿検知位置における主走査方向のサイズに基づいて判定可能であるからである。しかしながら、Ａ４ＲサイズとＢ４サイズの原稿を載置した場合の副走査方向で境界となる位置、Ｂ４サイズとＡ３サイズの原稿を載置した場合の副走査方向で境界となる位置に、センサを配置して、副走査方向のサイズを検出可能とするように構成しても良い。
【００３６】
図６は、本実施形態における原稿サイズ検出処理を示すフローチャートである。図６の各処理は、例えば、画像読取装置１００のＣＰＵ２１１がＲＯＭ２０９に記憶されたプログラムをＲＡＭ２１０に読み出して実行することにより実現される。Ｓ６０１において、ＣＰＵ２１１は、開閉検出部１５により、圧板９が開けられた状態であるか又は閉じられた状態であるかを判定する。ここで、圧板９が開けられた状態であると判定された場合にはＳ６０２に進み、圧板９が閉じられた状態であると判定された場合にはＳ６１１に進む。
【００３７】
Ｓ６０２において、ＣＰＵ２１１は、走査駆動部１７により読取ユニット１０を、図５に示す原稿検知位置に移動させる。そして、Ｓ６０３において、ＣＰＵ２１１は、開閉検出部１５により、圧板９が開けられた状態であるか又は閉じられた状態であるかを判定する。ここで、圧板９が閉じられた状態であると判定された場合にはＳ６０４に進み、圧板９が開けられた状態であると判定された場合にはＳ６１３に進む。Ｓ６０４に進む場合とは、圧板９がユーザにより閉じられた場合である。
【００３８】
Ｓ６０４において、ＣＰＵ２１１は、副走査方向上流側の光源１１ａを点灯させ、Ｓ６０５において、図４（ａ）上段及び中段に示すように、圧板９の原稿検知位置付近に穿たれた原稿検知溝をスキャンする。その際、図４（ａ）下段に示すように、原稿５が載置されていない箇所は、原稿検知溝の影が画像として読み取られ、また、原稿５が載置されている箇所は、原稿５の画像として読み取られる。
【００３９】
その後、Ｓ６０６において、ＣＰＵ２１１は、光源１１ａを消灯させ、光源１１ｂを点灯させ、Ｓ６０７において、図４（ｂ）上段及び中段に示すように、原稿検知溝をスキャンする。その際、図４（ｂ）下段に示すように、原稿５が載置されていない箇所は、光源１１ａを点灯した場合とは異なり、原稿検知溝の影がない画像として読み取られ、また、原稿５が載置されている箇所は、原稿５の画像として読み取られる。Ｓ６０７の後、Ｓ６０８において、ＣＰＵ２１１は、光源１１ｂを消灯させる。
【００４０】
図４（ａ）下段及び図４（ｂ）下段に示すように、Ｓ６０５で読み取られた画像とＳ６０７で読み取られた画像とでは、原稿５が載置されていない箇所について原稿検知溝の影ありと影なしの画像として差が生じる。一方、原稿５が載置されている箇所については、両場合について原稿５の画像となり差が生じない。Ｓ６０９において、ＣＰＵ２１１は、原稿サイズ判定演算部１９により、原稿検知溝の影の有無で差が生じた位置と差が生じていない位置の境目を原稿の主走査方向の端部と識別して、原稿５の主走査方向のサイズを判定する。その後、Ｓ６１０において、ＣＰＵ２１１は、読取ユニット１０を走査駆動部１７により、ホームポジションへ戻し、図６の処理を終了する。図６の処理の終了後は、ＣＰＵ２１１は、Ｓ６０９で判定された原稿５の主走査方向のサイズと、副走査方向サイズ検出部１６ｂ及び１６ｃの検知信号から特定される副走査方向のサイズとから、原稿のサイズを特定する。ＣＰＵ２１１は、特定した原稿のサイズ情報をＲＡＭ２１０等の記憶領域に格納する。
【００４１】
再び、Ｓ６０１を参照する。Ｓ６０１で圧板９が閉じられた状態であると判定された場合にはＳ６１１において、ＣＰＵ２１１は、ユーザにより操作部２１２のコピーボタンが押下されたか否かを判定する。ここで、コピーボタンが押下されていないと判定された場合には、Ｓ６０１からの処理を繰り返す。一方、コピーボタンが押下されたと判定された場合には、Ｓ６１２に進む。
【００４２】
Ｓ６１２において、ＣＰＵ２１１は、ＲＡＭ等の記憶領域に原稿５のサイズ情報が記憶されているか否かを判定する。ここで、原稿５のサイズ情報が記憶されていると判定された場合、図６の処理を終了し、コピー動作を行う。Ｓ６１２で原稿５のサイズ情報が記憶されていないと判定された場合、Ｓ６０４に進み、Ｓ６０４以降の原稿サイズ検出処理が行われる。例えば、Ｓ６０９で格納された原稿５のサイズ情報が所定時間の経過後に削除されるような構成であり、ユーザが圧板９を開けて原稿５を載置して圧板９を閉じてから所定時間の経過後にコピーボタンを押下した場合に、Ｓ６１２の判定の結果、Ｓ６０４に進む。
【００４３】
Ｓ６０３で圧板９が開けられた状態であると判定された場合、Ｓ６１３において、ＣＰＵ２１１は、ユーザにより操作部２１２のコピーボタンが押下されたか否かを判定する。ここで、コピーボタンが押下されていないと判定された場合、Ｓ６０３からの処理を繰り返す。一方、コピーボタンが押下されていると判定された場合、圧板９が開いたままの状態での原稿サイズの読取を行うことになってしまうので、Ｓ６１４において、ＣＰＵ２１１は、原稿のサイズ判定が不定となってしまう旨を操作部２１２に警告表示する。Ｓ６１４の処理後、Ｓ６１０に進み、その後、図６の処理を終了する。Ｓ６１４からＳ６１０に進む場合には、Ｓ６１０の処理後、原稿５のサイズの特定は行われない。
【００４４】
［第２の実施形態］
次に、第２の実施形態について、第１の実施形態と異なる点について説明する。
【００４５】
図７は、画像読取装置１００の原稿台ガラス２を上側から見た図である。図７に示すように、各サイズの原稿は、左上端の基準点に原稿の隅を突き当てるように載置される。図５に示す場合と異なり、圧板９には、原稿検知位置Ａ、ＢおよびＣの位置にも原稿検知溝が構成されている。
【００４６】
原稿検知位置Ａは、第１の実施形態と同様に、全ての定型サイズの原稿の主走査サイズを読取可能な位置である。原稿検知位置Ｂは、Ａ４サイズとＢ５Ｒサイズの原稿を載置した場合の副走査方向で境界となる位置に対応する。原稿検知位置Ｃは、Ｂ５ＲサイズとＡ４Ｒサイズの原稿を載置した場合の副走査方向で境界となる位置に対応する。また、本実施形態では、原稿検知位置ＢおよびＣにおいて、Ｂ５Ｒサイズの原稿の主走査方向の端部よりも基準点寄りの原稿有無判別位置Ｂ、Ｃの位置をスキャンすることによって原稿の有無を判別する。
【００４７】
図７では、原稿検知位置Ｂ及びＣのみが示されており、Ａ４ＲサイズとＢ４サイズの原稿を載置した場合の副走査方向で境界となる位置、Ｂ４サイズとＡ３サイズの原稿を載置した場合の副走査方向で境界となる位置には構成されていない。これは、例えば、原稿有無判別位置Ｂ及びＣの両方で原稿ありと判定される場合、原稿サイズは、Ａ４Ｒ、Ｂ４、Ａ３が該当するが、いずれのサイズであるかは、原稿検知位置Ａにおける主走査方向のサイズに基づいて判定可能であるからである。しかしながら、Ａ４ＲサイズとＢ４サイズの原稿を載置した場合の副走査方向で境界となる位置、Ｂ４サイズとＡ３サイズの原稿を載置した場合の副走査方向で境界となる位置に原稿検知溝を構成し、副走査方向のサイズを検出可能とするように構成しても良い。
【００４８】
図８（ａ）及び（ｂ）は、本実施形態における原稿サイズ検知処理を示すフローチャートである。図８（ａ）及び（ｂ）の各処理は、例えば、画像読取装置１００のＣＰＵ２１１がＲＯＭ２０９に記憶されたプログラムをＲＡＭ２１０に読み出して実行することにより実現される。Ｓ８０１において、ＣＰＵ２１１は、開閉検出部１５により、圧板９が開けられた状態であるか又は閉じられた状態であるかを判定する。ここで、圧板９が開けられた状態であると判定された場合にはＳ８０２に進み、圧板９が閉じられた状態であると判定された場合にはＳ８１２に進む。
【００４９】
Ｓ８０２において、ＣＰＵ２１１は、走査駆動部１７により読取ユニット１０を、図７に示す原稿検知位置Ａに移動させる。そして、Ｓ８０３において、ＣＰＵ２１１は、開閉検出部１５により、圧板９が開けられた状態であるか又は閉じられた状態であるかを判定する。ここで、圧板９が閉じられた状態であると判定された場合にはＳ８０４に進み、圧板９が開けられた状態であると判定された場合にはＳ８１７に進む。Ｓ８０４に進む場合とは、圧板９がユーザにより閉じられた場合である。Ｓ８０４において、ＣＰＵ２１１は、原稿サイズ検知処理を行う。
【００５０】
Ｓ８０４における原稿サイズ検知処理を、図８（ａ）に示すフローチャートを参照しながら説明する。Ｓ８２１において、ＣＰＵ２１１は、副走査方向上流側の光源１１ａを点灯させ、Ｓ８２２において、圧板９の原稿検知位置付近に主走査方向に構成された原稿検知溝をスキャンする。その際、図４（ａ）下段に示すように、原稿５が載置されていない箇所は、原稿検知溝の影が画像として読み取られ、また、原稿５が載置されている箇所は、原稿５の画像として読み取られる。
【００５１】
その後、Ｓ８２３において、ＣＰＵ２１１は、光源１１ａを消灯し、光源１１ｂを点灯させ、Ｓ８２４において、圧板９の原稿検知位置付近に主走査方向に構成された原稿検知溝をスキャンする。その際、図４（ｂ）下段に示すように、原稿５が載置されていない箇所は、光源１１ａを点灯した場合とは異なり、原稿検知溝の影がない画像として読み取られ、また、原稿５が載置されている箇所は、原稿５の画像として読み取られる。その後、Ｓ８２５において、ＣＰＵ２１１は、光源１１ｂを消灯する。Ｓ８２５の後、図８（ａ）の処理を終了し、図８（ｂ）の処理に戻る。
【００５２】
Ｓ８２２で読み取られた画像とＳ８２４で読み取られた画像とでは、原稿５が載置されていない箇所について、原稿検知溝の影ありと影なしの画像として差が生じる。一方、原稿５が載置されている箇所については、原稿５の画像となり差が生じない。Ｓ８０５において、ＣＰＵ２１１は、原稿サイズ判定演算部１９により、原稿検知溝の影の有無で差が生じた位置と差が生じていない位置の境目を原稿５の主走査方向の端部と識別して、原稿５の主走査方向のサイズを判定する。
【００５３】
次に、Ｓ８０７において、ＣＰＵ２１１は、走査駆動部１７により読取ユニット１０を、図７に示す原稿検知位置Ｂに移動させ、Ｓ８０７において、原稿サイズ検知処理を行う。Ｓ８０７では、上述の図８（ａ）の処理が行われる。
【００５４】
Ｓ８０８において、ＣＰＵ２１１は、Ｓ８０７での原稿の検知結果に基づいて、原稿有無判別位置Ｂでの原稿の有無を判定する。ＣＰＵ２１１は、原稿有無判別位置Ｂについて行われたＳ８２２で読み取られた画像とＳ８２４で読み取られた画像とで、原稿検知溝の影ありと影なしの画像として差が生じた場合、原稿有無判別位置Ｂでは原稿はないと判定する。一方、原稿５の画像となり差が生じなかった場合、原稿有無判別位置Ｂで原稿はあると判定する。
【００５５】
Ｓ８０８で原稿なしと判定された場合、Ｓ８０９において、ＣＰＵ２１１は、原稿５の副走査方向のサイズを図７の副走査方向サイズ７０１として判定する。Ｓ８１０において、ＣＰＵ２１１は、Ｓ８０５で判定された原稿５の主走査方向のサイズと、Ｓ８０９で判定された原稿５の副走査方向のサイズとから、原稿５のサイズを特定する。ＣＰＵ２１１は、特定した原稿のサイズ情報をＲＡＭ２１０等の記憶領域に格納する。Ｓ８１１において、ＣＰＵ２１１は、読取ユニット１０を走査駆動部１７によりホームポジションへ戻し、その後、図８の処理を終了する。
【００５６】
Ｓ８０８で原稿ありと判定された場合、Ｓ８１４において、ＣＰＵ２１１は、走査駆動部１７により読取ユニット１０を、図７に示す原稿検知位置Ｃに移動させ、Ｓ８１５において、原稿サイズ検知処理を行う。Ｓ８１５では、上述の図８（ａ）の処理が行われる。
【００５７】
Ｓ８１６において、ＣＰＵ２１１は、Ｓ８１５での原稿の検知結果に基づいて、原稿有無判別位置Ｃでの原稿の有無を判定する。ＣＰＵ２１１は、原稿有無判別位置Ｃについて行われたＳ８２２で読み取られた画像とＳ８２４で読み取られた画像とで、原稿検知溝部部の影ありと影なしの画像として差が生じた場合、原稿有無判別位置Ｃでは原稿はないと判定する。一方、原稿５の画像となり差が生じなかった場合、原稿有無判別位置Ｃで原稿はあると判定する。
【００５８】
Ｓ８１６で原稿なしと判定された場合、ＣＰＵ２１１は、原稿５の副走査方向のサイズを図７の副走査方向サイズ７０２として判定する。Ｓ８１０において、ＣＰＵ２１１は、Ｓ８０５で判定された原稿５の主走査方向のサイズと、Ｓ８１６で判定された原稿５の副走査方向のサイズとから、原稿５のサイズを特定する。Ｓ８１１において、ＣＰＵ２１１は、読取ユニット１０を走査駆動部１７によりホームポジションへ戻し、その後、図８の処理を終了する。
【００５９】
一方、Ｓ８１６で原稿ありと判定された場合、原稿５のサイズは、Ａ４Ｒ、Ｂ４、Ａ３のいずれかとなるが、Ｓ８１０において、ＣＰＵ２１１は、Ｓ８０５で判定された主走査方向のサイズから、原稿５のサイズがいずれであるかを特定する。ＣＰＵ２１１は、特定した原稿のサイズ情報をＲＡＭ２１０等の記憶領域に格納する。
【００６０】
再び、Ｓ８０１を参照する。Ｓ８０１で圧板９が閉じられた状態であると判定された場合にはＳ８１２において、ＣＰＵ２１１は、ユーザにより操作部２１２のコピーボタンが押下されたか否かを判定する。ここで、コピーボタンが押下されていないと判定された場合には、Ｓ８０１からの処理を繰り返す。一方、コピーボタンが押下されたと判定された場合には、Ｓ８１３に進む。
【００６１】
Ｓ８１３において、ＣＰＵ２１１は、ＲＡＭ等の記憶領域に原稿５のサイズ情報が記憶されているか否かを判定する。ここで、原稿５のサイズ情報が記憶されていると判定された場合、図８の処理を終了し、コピー動作を行う。Ｓ８１３で原稿５のサイズ情報が記憶されていないと判定された場合、Ｓ８０４に進み、Ｓ８０４以降の原稿サイズ検出処理が行われる。例えば、Ｓ８１０で格納された原稿５のサイズ情報が所定時間の経過後に削除されるような構成であり、ユーザが圧板９を開けて原稿５を載置して圧板９を閉じてから所定時間の経過後にコピーボタンを押下した場合に、Ｓ８１３の判定の結果、Ｓ８０４に進む。
【００６２】
Ｓ８０３で圧板９が開けられた状態であると判定された場合、Ｓ８１７において、ＣＰＵ２１１は、ユーザにより操作部２１２のコピーボタンが押下されたか否かを判定する。ここで、コピーボタンが押下されていないと判定された場合、Ｓ８０３からの処理を繰り返す。一方、コピーボタンが押下されていると判定された場合、圧板９が開いたままの状態での原稿サイズの読取を行うことになってしまうので、Ｓ８１８において、ＣＰＵ２１１は、原稿のサイズ判定が不定となってしまう旨を操作部２１２に警告表示する。Ｓ８１８の処理後、Ｓ８１１に進み、その後、図８の処理を終了する。
【００６３】
以上のように、各実施形態によれば、ユーザにまぶしさを感じさせず、かつ原稿の色に左右されずに、原稿サイズの検知を正確に行うことができる。
【００６４】
図５及び図７に示す原稿検出位置には、上述の原稿検知溝でなくても、光源１１ａと光源１１ｂとで読取ユニット１０により読み取られる画像に差が出るような加工であれば溝形状でなくても良い。
【００６５】
また、以上で説明した実施形態によれば、図７のように副走査方向の原稿有無判別位置Ｂ，Ｃに原稿検知溝を設けることで副走査方向における原稿のサイズ検知を可能としたが、光源１１ａと光源１１ｂとで読み取りユニット１０により読み取られる画像に差がでるような加工を、副走査方向に１ライン施す構成であってもよい。例えば、図４で説明した原稿検知溝を副走査方向に連続して設ける構成であってもよい。
【符号の説明】
【００６６】
１  スキャナユニット：  ６  ＡＤＦユニット：  １０  読取ユニット：  １１ａ、１１ｂ  光源：１００  画像読取装置：  ２１１  ＣＰＵ：  ２０９  ＲＯＭ：  ２１０  ＲＡＭ
【図１】
2017118269.tif 000003
【図２】
2017118269.tif 000004
【図３】
2017118269.tif 000005
【図４】
2017118269.tif 000006
【図５】
2017118269.tif 000007
【図６】
2017118269.tif 000008
【図７】
2017118269.tif 000009
【図８】
2017118269.tif 000010